(57)【要約】      （修正有）【課題】円筒状紙筒の長手方向に対して傾きを有する貫通穴を容易に穿つことができる円筒状紙筒用卓上穴開け器を提供する。【解決手段】上方から押圧して円筒状紙筒１２の側面に丸穴を穿つ刃を先端に形成したパンチング軸１３、１４が前後に並べて二軸配置されていると共に該パンチング軸の軸心を通る垂直下方に各パンチング軸の刃を通過させる軸逃げ丸穴１７、１８が前後に並んでそれぞれ開口しており、円筒状紙筒を当該二つの軸逃げ丸穴の間に位置付けて前記各パンチング軸で押圧することにより当該円筒状紙筒の両側の各側面が各パンチング軸の刃によりそれぞれ上面視半円状に穿たれて円筒状紙筒の両側面に丸穴の貫通穴を開けることができる円筒状紙筒用卓上穴開け器。【選択図】  図２
2004167629.tif 000002
【特許請求の範囲】
【請求項１】
上方から押圧して円筒状紙筒の側面に丸穴を穿つ刃を先端に形成したパンチング軸が前後に並べて二軸配置されていると共に該パンチング軸の軸心を通る垂直下方に各パンチング軸の刃を通過させる軸逃げ丸穴が前後に並んでそれぞれ開口しており、円筒状紙筒を当該二つの軸逃げ丸穴の間に位置付けて前記各パンチング軸で押圧することにより当該円筒状紙筒の両側の各側面が各パンチング軸の刃によりそれぞれ上面視半円状に穿たれて円筒状紙筒の両側面に丸穴の貫通穴を開けることができる円筒状紙筒用卓上穴開け器。
【発明の詳細な説明】
【０００１】
【発明の属する技術分野】
本発明は、円筒状紙筒の側面に丸穴を穿って両側面に開口した貫通穴を形成することができる円筒状紙筒用卓上穴開け器に関するものである。
【０００２】
【従来の技術】
周知の通り、打ち抜かれた丸い紙片を収容する台部と、該台部の上面に設けられた固定アーム部と、該固定アーム部に一端側が回動自在に支持されて他端側が自由端となっている操作アーム部と、前記固定アーム部において上下動可能に設けられて前記操作アーム部の回動操作により所要枚数重ねた紙面に丸穴を穿つ一対のパンチング軸とからなる、書類等を重ねて綴じるための一対の綴じ穴を開ける卓上穴開け器が汎用されている（例えば、特許文献１参照）。
【０００３】
【特許文献１】
特開２００２−１６９８号公報
【０００４】
【発明が解決しようとする課題】
しかし、従来の卓上穴開け器は、いずれも一枚或いは複数枚重ねた書類等の紙面に該書類等を重ねて綴じるための少なくとも一対の綴じ穴を開けるものであるから、当該卓上穴開け器で円筒状紙筒の両側面に丸穴を穿って片側の側面から反対側の側面に渡って円筒状紙筒の長手方向に対して傾きを有して開口する貫通穴を形成することはできないという問題点があった。
【０００５】
本発明者は、円筒状紙筒の両側面に丸穴を穿って該円筒状紙筒の長手方向に対して傾きを有して開口する貫通穴を形成することができる円筒状紙筒用卓上穴開け器を知らない。
【０００６】
ところで、本発明者は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して例えば図６に図示する立体創造物２６を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸とを備えていることを特徴とする立体創造物組み立て用ブロックの作製装置を発明（特願２００２−３０３３９１号）している。当該発明の実施に当たり、紙を円筒状に巻いた円筒状紙筒の両側面に丸穴を穿って該円筒状紙筒の長手方向に対して傾きを有して開口する貫通穴を形成することができる円筒状紙筒用卓上穴開け器を用いれば、当該立体創造物組み立て用ブロックの作製装置により作製された組立用太筒ブロックの側面に該組立用太筒ブロックの長手方向に対して所望の傾斜角となる組込用細筒ブロックを挿着するための組込穴を容易に形成することができる。
【０００７】
そこで、本発明は、円筒状紙筒の長手方向に対して傾きを有する貫通穴を容易に穿つことができる円筒状紙筒用卓上穴開け器を提供することを技術的課題とするものである。
【０００８】
【課題を解決するための手段】
前記技術的課題は、次の通りの本発明によって解決できる。
【０００９】
即ち、本発明に係る円筒状紙筒用卓上穴開け器は、上方から押圧して円筒状紙筒の側面に丸穴を穿つ刃を先端に形成したパンチング軸が前後に並べて二軸配置されていると共に該パンチング軸の軸心を通る垂直下方に各パンチング軸の刃を通過させる軸逃げ丸穴が前後に並んでそれぞれ開口しており、円筒状紙筒を当該二つの軸逃げ丸穴の間に位置付けて前記各パンチング軸で押圧することにより当該円筒状紙筒の両側の各側面が各パンチング軸の刃によりそれぞれ上面視半円状に穿たれて円筒状紙筒の両側面に丸穴の貫通穴を開けることができるものである。
【００１０】
【発明の実施の形態】
以下、本発明の実施の形態を図面に基づき説明する。
【００１１】
図１は本発明の実施の形態に係る円筒状紙筒用卓上穴開け器を示す斜視図、図２はパンチング軸と軸逃げ丸穴との位置関係を説明する円筒状紙筒用卓上穴開け器の一部省略透視縦断面図、図３はパンチング軸と軸逃げ丸穴と傾斜付けガイド部とを図示した円筒状紙筒用卓上穴開け器の一部省略透視斜視図、図４は固定アーム部と操作アーム部とを透視して図示した円筒状紙筒用卓上穴開け器の一部省略平面図、図５は軸逃げ丸穴と円筒状紙筒との位置関係を説明する平面図であり、これらの図において、１は、打ち抜かれた丸い紙片を収容する中空の台部２と、該台部２の上面に設けられた棚部３に固定されたＵ字型固定アーム部４と、該固定アーム部４の前方端部にて回動自在に軸着された支持軸５に一端側が支持されて該支持軸５を中心として他端側が上下動可能な自由端となってコイルスプリング６（図２参照）により上方に弾発されている操作アーム部７と、支持軸５の後上方側にて平行に並べて位置付けて操作アーム部７に軸着した、該操作アーム部７の上下動作により固定アーム部４の両側壁４ａ，４ａに設けられた縦長の楕円状第一スロット穴８，８（図２参照）を上下動する第一可動軸９と、該第一可動軸９に隣接して第一可動軸９後上方側にて平行に並べて位置付けて操作アーム部７に軸着した、該操作アーム部７の上下動作により固定アーム部４の両側壁４ａ，４ａに設けられた縦長の楕円状第二スロット穴１０，１０（図２参照）を上下動する第二可動軸１１と、第一可動軸９に回動自在に軸着されて操作アーム部７の上下動作により上方から円筒状紙筒１２（図２参照）の片側の側面を押圧して上面視半円状に穿って該側面に丸穴を開ける刃１３ａ  を先端に形成した第一パンチング軸１３と、第二可動軸１１に回動自在に軸着されて前記第一パンチング軸１３の後方に配置されて操作アーム部７の上下動作により上方から円筒状紙筒１２の反対側の側面を押圧して上面視半円状に穿って該側面に丸穴を開ける刃１４ａ  を先端に形成した第二パンチング軸１４と、第一・第二パンチング軸１３，１４の軸心１５，１６（図３参照）を通る垂直下方に前後に並んで開口した第一・第二パンチング軸１３，１４の刃１３ａ  ，１４ａ  がそれぞれ通過する第一・第二軸逃げ丸穴１７，１８（図２及び図３参照）とを備えている円筒状紙筒用卓上穴開け器（以下、単に「穴開け器」という。）である。
【００１２】
そして、前記穴開け器１には、図２，図３及び図４に示すように、第一軸逃げ丸穴１７を形成する円の中心と第二軸逃げ丸穴１８を形成する円の中心とを結ぶ線間の中心点Ａ（図４参照）を円の中心とする第一軸逃げ丸穴１７と第二軸逃げ丸穴１８とに内接して被さらない内円からなる円形状開口部１９が形成されているリング状中央部２０と、前記内円の中心（中心点Ａ）を通る延長線２１に沿ってリング状中央部２０の両端から延びている、円筒状紙筒１２を保持する両壁を有する溝型に形成されている円筒状紙筒載置部２２，２２とからなる傾斜付けガイド部２３が前記中心点Ａを中心として台部２に対して回動可能に設けられており、前記中心点Ａから等距離位置の前記各載置部２２，２２下面には、前記延長線２１上に位置付けて下向きに突出するガイド突起部２４，２４が設けられ、台部２には該ガイド突起部２４，２４が前記中心点Ａを中心として回動できるように前記中心点Ａを円の中心とする円弧状溝部２５が形成されている。そして、該円弧状溝部２５の両端部は、図５に示すように、中心点Ａを中心として前記傾斜付けガイド部２３を両側においてそれぞれ略３０度まで傾けることができる位置となっている。従って、図１に示すように、前記棚部３の前部側両端部は傾斜付けガイド部２３の両載置部２２，２２を円弧状溝部２５の両端部に位置付けることができるように三角形に切り欠いてある。なお、図１において、傾斜付けガイド部２３は省略されている。
【００１３】
次いで、動作について説明する。
【００１４】
図４に示すように、第一軸逃げ丸穴１７を形成する円の中心と第二軸逃げ丸穴１８を形成する円の中心とを結ぶ線に対して前記延長線２１が直交するように前記傾斜付けガイド部２３を前記台部２に位置付けた状態において（図５において延長線２１がＢ位置にある場合）、円筒状紙筒１２を両側の載置部２２，２２に収めて傾斜付けガイド部２３に載せる。これにより、円筒状紙筒１２は、中心点Ａの上に位置付けられる。続いて、図２に示すように、支持軸５を中心として操作アーム部７を下方へ回転させて第一・第二パンチング軸１３，１４を下降させて円筒状紙筒１２の両側面をそれぞれ上方から押圧し、第一・第二パンチング軸１３，１４の第一・第二刃１３ａ  ，１４ａ  により円筒状紙筒１２の軸心（長手方向）に対して直交する位置の両側面がそれぞれ上面視半円状に穿たれて円筒状紙筒の両側面に直交して開口する丸穴の直交貫通穴が形成される。なお、図５において延長線２１がＢ位置にある場合における前記傾斜付けガイド部２３に載置された円筒状紙筒１２と第一・第二軸逃げ丸穴１７，１８との位置関係は、図５に示すように、円筒状紙筒１２によって第一・第二軸逃げ丸穴１７，１８の略半円をそれぞれ上下において塞ぐ位置関係となっている。
【００１５】
また、図５に示すように、延長線２１がＢ位置にある位置から前記傾斜付けガイド部２３を矢印Ｃ方向に略３０度回転して前記台部２に位置付けた状態において（図５において延長線２１がＣ位置にある場合）、円筒状紙筒１２を両側の載置部２２，２２に収めて傾斜付けガイド部２３に載せ、図２に示すように、支持軸５を中心として操作アーム部７を下方へ回転させて第一・第二パンチング軸１３，１４を下降させて円筒状紙筒１２の両側面をそれぞれ上方から押圧すれば、円筒状紙筒１２の軸心に対して直交する位置に開口した前記直交貫通穴に対して図５における矢印Ｄ方向へ略３０度傾く傾斜角を有する傾斜貫通穴が形成される。なお、図５において延長線２１がＣ位置にある場合における前記傾斜付けガイド部２３に載置された円筒状紙筒１２と第一・第二軸逃げ丸穴１７，１８との位置関係は、図５に示すように、円筒状紙筒１２によって第一・第二軸逃げ丸穴１７，１８の略半円以上を塞ぐ位置関係となっている。
【００１６】
さらに、図５に示すように、延長線２１がＢ位置にある位置から前記傾斜付けガイド部２３を矢印Ｄ方向に略３０度回転して前記台部２に位置付けた状態において（図５において延長線２１がＤ位置にある場合）、円筒状紙筒１２を両側の載置部２２，２２に収めて傾斜付けガイド部２３に載せ、図２に示すように、支持軸５を中心として操作アーム部７を下方へ回転させて第一・第二パンチング軸１３，１４を下降させて円筒状紙筒１２の両側面をそれぞれ上方から押圧すれば、円筒状紙筒１２の軸心に対して直交する位置に開口した前記直交貫通穴に対して図５における矢印Ｃ方向へ略３０度傾く傾斜角を有する傾斜貫通穴が形成される。なお、図５において延長線２１がＤ位置にある場合における前記傾斜付けガイド部２３に載置された円筒状紙筒１２と第一・第二軸逃げ丸穴１７，１８との位置関係は、図５に示すように、円筒状紙筒１２によって第一・第二軸逃げ丸穴１７，１８の略半円以上を塞ぐ位置関係となっている。
【００１７】
本実施の形態では、パンチング軸を前後に並べて二軸配置して該パンチング軸１３，１４により円筒状紙筒１２の両側の各側面をそれぞれ上面視半円状に穿つので、円筒状紙筒１２の片側の側面から反対側の側面に渡って該円筒状紙筒１２の長手方向に対して傾きを有して開口する貫通穴を形成することができる。
【００１８】
なお、パンチング軸１３，１４の刃１１ａ  ，１４ａ  と軸逃げ丸穴１７，１８との間隔が円筒状紙筒１２の縦断面形状を円形状のままで位置付けることができる間隔を有している場合の外、円筒状紙筒１２の縦断面形状を楕円形状に潰さなければ、位置付けることができない間隔を有している場合であってもよく、さらに、平たく潰さなければ、位置付けることができない間隔を有している場合であってもよい。従って、前記傾斜付けガイド部２３の載置部２２，２２の溝幅は円筒状紙筒１２の直径より若干広い幅であってもよく、円筒状紙筒１２を偏平に潰したときの該円筒状紙筒１２の幅と略同じ幅であってもよい。
【００１９】
また、棚板３の代わりに、台部２の表面が丘状に隆起した形状となっており、該丘状隆起部の高さによりパンチング軸１３，１４の刃１１ａ  ，１４ａ  と軸逃げ丸穴１７，１８との前記間隔が形成されていてもよく、また、前記円形状開口部１９は楕円形であってもよい。
【００２０】
さらに、円筒状紙筒１２は、紙を円筒状に巻き取って円筒状に形成した紙筒の外、原形が円筒形状となっている紙筒であってもよく、円筒状紙筒１２の両側面に穿たれる丸穴は正面視楕円形状も含むものである。
【００２１】
【実施例】
軸径９ｍｍの第一・第二パンチング軸１３，１４を前後に並べて第一パンチング軸１３の軸心１５と第二パンチング軸１４の軸心１６との間に１４ｍｍの間隔を設けて配置した前記実施の形態における円筒状紙筒用卓上穴開け器１を容易した。
【００２２】
前記穴開け器１の傾斜付けガイド部２３を、図５に示すように、延長線２１がＢ位置にある位置から矢印Ｃ方向に略３０度回転して位置付けた後（図５におけるＣ位置）、作製した外径約１０ｍｍの組立用太筒ブロック１２を両側の載置部２２，２２に収めて傾斜付けガイド部２３に載せた。
【００２３】
次いで、図２に示すように、支持軸５を中心として操作アーム部７を下方へ回転させて第一・第二パンチング軸１３，１４を下降させて組立用太筒ブロック１２の両側面をそれぞれ上方から押圧した。
【００２４】
組立用太筒ブロック１２には、該組立用太筒ブロック１２の軸心（長手方向）に対して直交する位置に対して図５における矢印Ｄ方向へ略３０度傾く傾斜角を有する内径略９ｍｍの傾斜貫通穴が形成された。
【００２５】
前記傾斜貫通穴に外径７〜８ｍｍの組込用細筒ブロックを挿着したところ、組込用細筒ブロックが組立用太筒ブロック１２に該組立用太筒ブロック１２の長手方向に対して略６０度の傾斜角を有して密着状態で嵌着された。
【００２６】
【発明の効果】
本発明によれば、円筒状紙筒の長手方向に対して傾きを有する丸穴の貫通穴を容易に穿つことができる円筒状紙筒用卓上穴開け器を提供することができる。
【００２７】
従って、本発明の産業上利用性は非常に高いといえる。
【図面の簡単な説明】
【図１】本発明の実施の形態に係る円筒状紙筒用卓上穴開け器を示す斜視図である。
【図２】パンチング軸と軸逃げ丸穴との位置関係を説明する円筒状紙筒用卓上穴開け器の一部省略透視縦断面図である。
【図３】パンチング軸と軸逃げ丸穴と傾斜付けガイド部とを図示した円筒状紙筒用卓上穴開け器の一部省略透視斜視図である。
【図４】固定アーム部と操作アーム部とを透視して図示した円筒状紙筒用卓上穴開け器の一部省略平面図である。
【図５】軸逃げ丸穴と円筒状紙筒との位置関係を説明する平面図である。
【図６】立体創造物を示す斜視図である。
【符号の説明】
１  円筒状紙筒用卓上穴開け器
２  台部
４  固定アーム部
５  支持軸
７  操作アーム部
９  第一可動軸
１１  第二可動軸
１２  円筒状紙筒
１３  第一パンチング軸
１４  第二パンチング軸
１７  第一軸逃げ丸穴
１８  第二軸逃げ丸穴
１９  円形状開口部
２０  リング状中央部
２１  延長線
２２  円筒状紙筒載置部
２３  傾斜付けガイド部
２４  ガイド突起部
２５  円弧状溝部
２６  レーシングカー状の立体創造物
【図１】
2004167629.tif 000003
【図２】
2004167629.tif 000004
【図３】
2004167629.tif 000005
【図４】
2004167629.tif 000006
【図５】
2004167629.tif 000007
【図６】
2004167629.tif 000008